(57)【特許請求の範囲】
【請求項１】
屋根の傾斜に対応した傾斜を有する斜めフレーム部と縦フレーム部と横フレーム部とを備えた三角形状又は四角形状のフレーム部材が屋根の傾斜を成すように複数配置され、隣り合うフレーム部材が母屋を支持する母屋受け部材によって連結され、上記フレーム部材により壁面材が支持されており、上記母屋受け部材は、隣り合うフレーム部材の上記斜めフレーム部に跨がる連結部と、隣り合うフレーム部材の上記縦フレーム部の間に位置するプレート部とを有して成り、上記連結部が上記斜めフレーム部に締結され、上記プレート部が上記縦フレーム部に締結されたことを特徴とする小屋裏界壁。
【請求項２】
請求項１に記載の小屋裏界壁において、上記フレーム部材に縦桟が固定されており、この縦桟に上記壁面材が取り付けられていることを特徴とする小屋裏界壁。
【請求項３】
屋根の傾斜に対応した傾斜を有する斜めフレーム部と縦フレーム部と横フレーム部とを備えた三角形状又は四角形状のフレーム部材を屋根の傾斜を成すように複数配置し、隣り合うフレーム部材を母屋を支持する母屋受け部材によって互いに連結する連結工程を含んでおり、この連結工程は、上記隣り合うフレーム部材の上記斜めフレーム部に跨がる上記母屋受け部材の連結部を上記斜めフレーム部に締結する工程と、上記隣り合うフレーム部材の上記縦フレーム部の間に位置する上記母屋受け部材のプレート部を上記縦フレーム部に締結する工程とを含むことを特徴とする小屋裏界壁施工方法。
【請求項４】
請求項３に記載の小屋裏界壁施工方法において、上記フレーム部材のフレーム内側に断熱吸音材が設けられており、上記フレーム部材の側面に縦桟が固定されており、この縦桟に壁面材が取り付けられた形態で当該フレーム部材が建物の施工現場に搬入されることを特徴とする小屋裏界壁施工方法。
【発明の詳細な説明】
【技術分野】
【０００１】
この発明は、小屋裏空間を区画する小屋裏界壁及びこの小屋裏界壁を施工する方法に関する。
【背景技術】
【０００２】
住戸が連続的に配置される集合住宅（長屋、共同住宅、寄宿舎、老人福祉施設などを含む）においては、防火、遮音、防犯上の理由から小屋裏にも界壁（戸境壁）を設けることが要求されている。
【０００３】
特許文献１には、屋根の垂木の下方に位置する小屋裏空間を天地方向に沿って防火区画する壁板を垂下させた防火界壁が開示されている。また、特許文献２は、屋根の全体傾斜形状に一致した形状の界壁パネルを予め工場で作製しておき、この界壁パネルを施工現場で組み付ける小屋裏の界壁の施工方法を開示する。
【先行技術文献】
【特許文献】
【０００４】
【特許文献１】特開平８−４１４９号公報
【特許文献２】特開平２−２７２１３２号公報
【発明の開示】
【発明が解決しようとする課題】
【０００５】
しかしながら、上記特許文献１に記載された防火界壁は、母屋に支持された垂木に垂下して設けられるものであり、上記母屋を支持する構造物にはなっていない。このため、この防火界壁とは別に母屋を支持する構造物が必要である。また、上記特許文献２に記載された施工方法においては、界壁パネルは屋根の全体断面形状に一致する大きな構造物であるため、屋根部分への取付作業が大掛かりになる。
【０００６】
この発明は、壁として機能しつつ屋根の荷重を受ける構造物としても機能することができ、また、大掛かりな施工を不要にできる小屋裏界壁及び小屋裏界壁施工方法を提供することを課題とする。
【課題を解決するための手段】
【０００７】
この発明の小屋裏界壁は、上記の課題を解決するために、屋根の傾斜に対応した傾斜を有する斜めフレーム部と縦フレーム部と横フレーム部とを備えた三角形状又は四角形状のフレーム部材が屋根の傾斜を成すように複数配置され、隣り合うフレーム部材が母屋を支持する母屋受け部材によって連結され、上記フレーム部材により壁面材が支持されていることを特徴とする。
【０００８】
上記構成であれば、複数のフレーム部材によって小屋裏界壁が構成されるので、屋根の全体断面形状に一致する大きな界壁パネルを小屋裏に配置する大掛かりな施工を不要にすることができる。また、母屋受け部材に加わる屋根の荷重は、上記のフレーム部材からその下方の建物構造へと伝わる。そして、上記のフレーム部材が壁支持体となって壁面材が取り付けられる。すなわち、上記構成の小屋裏界壁は、壁として機能しつつ屋根の荷重を受ける構造物としても機能することになる。
【０００９】
この発明の小屋裏界壁において、上記の母屋受け部材は、隣り合うフレーム部材の上記斜めフレーム部に跨がる連結部と、隣り合うフレーム部材の上記縦フレーム部の間に位置するプレート部とを有して成り、上記連結部が上記斜めフレーム部に締結され、上記プレート部が上記縦フレーム部に締結されていてもよい。このような構成であれば、隣り合うフレーム部材はその斜めフレーム部と縦フレーム部とにおいて上記の母屋受け部材を介して締結されることになり、隣り合うフレーム部材同士を強固に連結することができる。
【００１０】
また、この発明の小屋裏界壁において、上記フレーム部材に縦桟が固定されており、この縦桟に上記壁面材が取り付けられていてもよい。このような構成においては、上記縦桟によって当該フレーム部材の縦方向の力に対する強度を向上させることができる。
【００１１】
また、この発明の小屋裏界壁施工方法は、屋根の傾斜に対応した傾斜を有する斜めフレーム部と縦フレーム部と横フレーム部とを備えた三角形状又は四角形状のフレーム部材を屋根の傾斜を成すように複数配置し、隣り合うフレーム部材を母屋を支持する母屋受け部材によって互いに連結する工程を含むことを特徴とする。
【００１２】
このような方法であれば、上記のフレーム部材を用いて小屋裏界壁を組み立てるので、屋根の全体断面形状に一致する大きな界壁パネルを小屋裏に配置する大掛かりな施工を行わなくて済むことになる。
【００１３】
上記の小屋裏界壁施工方法において、上記フレーム部材のフレーム内側に断熱吸音材が設けられており、上記フレーム部材の側面に縦桟が固定されており、この縦桟に壁面材が取り付けられた形態で当該フレーム部材が建物の施工現場に搬入されることとしてもよい。これによれば、現場においては母屋受け部材とフレーム部材とを締結するという比較的簡単な作業を主たる作業とすることができる。
【発明の効果】
【００１４】
本発明であれば、複数のフレーム部材によって小屋裏界壁が組み立てられることになるので、屋根の全体断面形状に一致する大きな界壁パネルを配置するような大掛かりな施工を不要にできる。また、隣り合うフレーム部材が母屋を支持する母屋受け部材によって連結され、上記のフレーム部材が壁支持体となって壁面材が取り付けられるので、壁として機能しつつ屋根の荷重を受ける構造物としても機能することになる。
【図面の簡単な説明】
【００１５】
【図１】本発明の一実施形態に係る小屋裏界壁におけるフレーム部材の配置を示した説明図である。
【図２】同図の（Ａ）（Ｂ）（Ｃ）は図１に示した小屋裏構造を構成するフレーム部材を示した説明図である。
【図３】図１のＡ矢示部の詳細を示した図であって、同図（Ａ）は平面図、同図（Ｂ）は側面図、同図（Ｃ）は正面図である。
【図４】図１のＢ矢示部の詳細を示した図であって、同図（Ａ）は平面図、同図（Ｂ）は側面図、同図（Ｃ）は正面図である。
【図５】図４に示されたダブル母屋受け金具を示した図であって、同図（Ａ）は平面図、同図（Ｂ）は側面図、同図（Ｃ）は正面図である。
【図６】図１のＣ矢示部の詳細を示した図であって、同図（Ａ）は平面図、同図（Ｂ）は側面図、同図（Ｃ）は正面図である。
【図７】図６に示された棟母屋受け金具を示した図であって、同図（Ａ）は平面図、同図（Ｂ）は側面図、同図（Ｃ）は正面図である。
【図８】石膏ボードが貼り付けられたフレーム部材を組み付けていく様子を示した説明図である。
【図９】図８のＡ−Ａ矢視拡大断面図である。
【発明を実施するための最良の形態】
【００１６】
次に、この発明の実施形態に係る小屋裏界壁及び小屋裏界壁施工方法を添付図面に基づいて具体的に説明する。なお、本発明に係る小屋裏界壁及び小屋裏界壁施工方法は、下記の実施形態に示したものに限定されず、その要旨を変更しない範囲において適宜変更して実施できるものである。
【００１７】
図１に示すように、この実施形態の小屋裏界壁（戸境壁）１は、軒側の鋼製フレーム部材２，２と、その隣の鋼製フレーム部材３，３と、棟側の鋼製フレーム部材４，４とを有して成る。これらの合計６個の鋼製フレーム部材２，３，４により全体として屋根の傾斜に対応した傾斜が形成される。この小屋裏界壁１は界壁支持梁５上に設置される。
【００１８】
図２の（Ａ），（Ｂ），（Ｃ）に示しているように、上記の鋼製フレーム部材２，３，４は、例えば断面コ字状の鋼材を用いて枠状に加工したものであり、屋根の傾斜に対応した傾斜を有する斜めフレーム部と縦フレーム部と横フレーム部とを備えた三角形状又は四角形状（台形形状）を成している。また、この図２において、図中の白三角で示す箇所には例えばナットが固定され、黒三角で示す箇所には例えばナット及び両切りボルトが設けられ、白菱形で示す箇所には例えばボルト挿通孔が形成される。上記鋼製フレーム部材２，３，４が上記の界壁支持梁５に設けられるときには、その横フレーム部における上記黒三角及び白三角で示す箇所においてボルト締結される。
【００１９】
図３は図１のＡ矢示部の詳細を示した図であって、同図（Ａ）は平面図、同図（Ｂ）は側面図、同図（Ｃ）は正面図である。柱６の頂部には軒桁接合金具１０が締結されており、この軒桁接合金具１０には上記の界壁支持梁５が締結されている。また、上記の軒桁接合金具１０には軒桁７が締結されており、この軒桁７上には母屋止め金具８が締結されている。そして、この母屋止め金具８にはリップ溝形鋼から成る軒桁上母屋９が締結されている。また、上記の界壁支持梁５には、水平ブレース１１が締結されている。これらの締結にはボルトとナットが用いられている。
【００２０】
図４は図１のＢ矢示部の詳細を示した図であって、同図（Ａ）は平面図、同図（Ｂ）は側面図、同図（Ｃ）は正面図である。また、この図４に示されているダブル母屋受け金具２０における平面図、側面図、及び正面図を図５の（Ａ），（Ｂ），（Ｃ）にそれぞれ示している。上記のダブル母屋受け金具２０は、鋼製フレーム部材３及び鋼製フレーム部材４の斜めフレーム部に跨がる断面コ字状を有した斜め連結部２０１と、この斜め連結部２０１の裏面側に垂下固定されたプレート部２０２と、上記の斜め連結部２０１上に固定されたＬ形鋼からなる母屋止め部２０３とから成る。これらの部位２０１，２０２，２０３を成す部材は溶接により互いに固定されている。そして、このダブル母屋受け金具２０は、その斜め連結部２０１を鋼製フレーム部材３及び鋼製フレーム部材４における斜めフレーム部上に位置させ、上記のプレート部２０２を鋼製フレーム部材３と鋼製フレーム部材４の縦フレーム部間に位置させて配置される。
【００２１】
上記の斜め連結部２０１に形成されているボルト挿通孔２０１ａからボルト５０を挿入してねじ込むと、このボルト５０が上記の鋼製フレーム部材３および鋼製フレーム部材４における斜めフレーム部に固定されているナット３ａ，４ａに螺合してボルト締結がなされる。また、上記の鋼製フレーム部材３および鋼製フレーム部材４の縦フレーム部に形成されたボルト挿通孔と上記プレート部２０２に形成されたボルト挿通孔２０２ａとにボルト５１を挿入し、このボルト５１にナット５２を螺合させてボルト締結することができる。このようなボルトとナットを用いた締結によって上記の鋼製フレーム部材３と鋼製フレーム部材４とが斜め連結部２０１を介在させて相互に固定される。また、リップ溝形鋼から成る母屋１２，１２が上記の母屋止め部２０３にボルト５３とナット５４とを用いて固定されている。
【００２２】
なお、鋼製フレーム部材２と鋼製フレーム部材３との締結は、上述した鋼製フレーム部材３と鋼製フレーム部材４との締結と同様にダブル母屋受け金具２０を用いて行うことができる。
【００２３】
図６は図１のＣ矢示部の詳細を示した図であって、同図（Ａ）は平面図、同図（Ｂ）は側面図、同図（Ｃ）は正面図である。また、この図６に示されている棟母屋受け金具３０における平面図、側面図、及び正面図を図７の（Ａ），（Ｂ），（Ｃ）に示している。上記の棟母屋受け金具３０は、鋼製フレーム部材４，４の斜めフレーム部に跨がって配置される山形連結部３０１と、この山形連結部３０１の裏面側に垂下固定されたプレート部３０２と、上記の山形連結部３０１の上面に固定されたＬ形鋼からなる２つの母屋止め部３０３と、筋違い７０が連結される連結板３０４とから成る。これらの部位３０１，３０２，３０３，３０４は溶接によって互いに固定される。また、上記の山形連結部３０１は、山形に屈曲形成された長方形板材の裏面側に２枚の山形側板を溶接することによって作製されており、更にこの山形側板と上記プレート部３０２とを溶接により接合している。上記の棟母屋受け金具３０は、その山形連結部３０１を鋼製フレーム部材４，４の斜めフレーム部に位置させ、上記のプレート部３０２を鋼製フレーム部材４，４の縦フレーム部の間に位置させている。
【００２４】
上記の山形連結部３０１に形成されているボルト挿通孔３０１ａからボルト５０を挿入してねじ込むと、このボルト５０が上記の鋼製フレーム部材４，４における斜めフレーム部に固定されているナット４ａ，４ａに螺合してボルト締結がなされる。また、上記の鋼製フレーム部材４，４の縦フレーム部に形成されたボルト挿通孔とプレート部３０２に形成されたボルト挿通孔３０２ａとにボルト５１を挿入し、このボルト５１にナット５２を螺合させてボルト締結することができる。このようなボルトとナットを用いた締結によって上記の鋼製フレーム部材４，４が相互に固定される。また、上記母屋１２，１２が各母屋止め部３０３にボルト５３とナット５４とを用いて固定されている。
【００２５】
図８は石膏ボード６４が貼り付けられた鋼製フレーム部材２，３，４を組み付けた状態を示した図である。図９は図８におけるＡ−Ａ矢視断面図である。
【００２６】
上記鋼製フレーム部材２，３，４における枠内には桟木６１が上下方向に一定間隔で配置されると共に断熱吸音材（例えば、グラスウール）６２が詰め込まれている。また、石膏ボード６４が貼り付けられる鋼製フレーム部材２，３，４の面には壁下地として縦桟６３が左右方向に一定間隔で配置されている。上記の縦桟６３は上記桟木６１及び鋼製フレーム部材２，３，４に固定される。この固定には例えば焼き入れ釘が用いられる。上記縦桟６３が鋼製フレーム部材２，３，４に固定されることで鋼製フレーム部材２，３，４の強度の向上が図れる。そして、上記鋼製フレーム部材２，３，４の上記縦桟６３が固定された面に防火壁として石膏ボード６４を２枚ずつ配置している。各石膏ボード６４は上記の縦桟６３に固定される。これら石膏ボード６４の固定は石膏ボード固定ビス６６を用いて行っている。このような石膏ボード６４及び断熱吸音材６２によって戸境壁における防火・防音が実現される。
【００２７】
なお、上記の鋼製フレーム部材２，３，４においては、上記桟木６１は必ずしも設けなくてよい。ただし、屋根が高くなり縦桟６３が長くなると水平方向に加わる力によって上記の鋼製フレーム部材２，３，４は歪みやすくなるので、このように屋根が高くなる場合には桟木６１を設けて上記歪みを防止するのがよい。
【００２８】
また、上述した例では、上記の鋼製フレーム部材２，３，４は、上記の桟木６１と断熱吸音材６２と縦桟６３と石膏ボード６４とが予め装着された状態で工場から出荷されるようにしている。ただし、ダブル母屋受け金具２０及び棟母屋受け金具３０を用いた施工現場での鋼製フレーム部材２，３，４の組み付けや誤差修正作業等の遣り易さを考慮し、縦フレーム部が存在する箇所（後でダブル母屋受け金具２０及び棟母屋受け金具３０が固定される箇所）には石膏ボード６４を貼り付けてはいない。石膏ボード６４を貼り付けていない箇所には、施工現場で石膏ボード６５を加工して貼り付けるようにしている。具体的には、ダブル母屋受け金具２０及び棟母屋受け金具３０にて支持される母屋９，１２が干渉しない開口部６５ａを石膏ボード６５に形成し、このように開口６５ａを形成した石膏ボード６５を鋼製フレーム部材（２，３）（３，４）（４，４）に渡して貼り付ける。
【００２９】
以上説明したような小屋裏界壁であれば、複数の鋼製フレーム部材２，３，４によって小屋裏界壁１が組み立てられることになるので、屋根の全体断面形状に一致する大きな界壁パネルを配置するような大掛かりな施工を不要にできる。
【００３０】
また、上記の母屋受け部材２０，３０に屋根の荷重が加わるが、このうち水平荷重は上記の鋼製フレーム部材２，３，４によって受け止められ、当該鋼製フレーム部材２，３，４の斜めフレーム部を通じで柱６へと伝わり、また、鉛直荷重は縦フレーム部を通じて界壁支持梁５へと伝わることになる。そして、このように屋根の荷重を受ける上記の鋼製フレーム部材２，３，４は壁面材となる石膏ボード６４，６５が貼り付けられる壁支持体としても機能する。すなわち、上記構成の小屋裏界壁１は、壁として機能しつつ屋根の荷重を受ける構造物としても機能する。
【００３１】
そして、このような小屋裏界壁１の施工方法においては、上記の鋼製フレーム部材２，３，４を界壁支持梁５上に配置し、隣り合う鋼製フレーム部材２，３及び隣り合う鋼製フレーム部材３，４をダブル母屋受け部材２０によって連結し、また、隣り合う鋼製フレーム部材４，４を棟母屋受け部材３０によって連結していくことになるから、大掛かりな作業は不要である。そして、この実施形態では、上記の鋼製フレーム部材２，３，４は、上記の断熱吸音材６２が詰められて石膏ボード６４が貼り付けられた状態で工場から出荷されて現場に搬入されるので、建物の施工現場では、上記の壁装着状態の鋼製フレーム部材２，３，４と母屋受け部材２０、３０とのボルト締結が主たる作業となり、現場での建築作業の容易化が図られることになる。
【００３２】
また、基準となる長さを１Ｐとした場合に上記の鋼製フレーム部材２，３，４の長さが標準で２Ｐとなるようにしてもよい。小屋裏界壁長さが８Ｐである場合には、２個の三角形の鋼製フレーム部材と２個の台形の鋼製フレーム部材が用いられることになる。同様に、小屋裏界壁長さを１２Ｐとすると、図１に示したような６個の鋼製フレーム部材２〜４が用いられる。また、土地条件などに応じて異なった長さの小屋裏界壁を提供できるように、標準を上記のように２Ｐとする一方で、０．５Ｐ、１．０Ｐ、１．５Ｐサイズの鋼製フレーム部材を設定するようにしておいてもよい。
【符号の説明】
【００３３】
１      小屋裏界壁
２      鋼製フレーム部材
３      鋼製フレーム部材
４      鋼製フレーム部材
５      界壁支持梁
６      柱
２０    ダブル母屋受け部材
２０１  斜め連結部
２０２  プレート部
２０３  母屋止め部
３０    棟母屋受け部材
３０１  斜め連結部
３０２  プレート部
３０３  母屋止め部
６１    桟木
６２    断熱吸音材
６３    縦桟
６４    石膏ボード
６５    石膏ボード
【図１】
0005538052.tif 000002
【図２】
0005538052.tif 000003
【図３】
0005538052.tif 000004
【図４】
0005538052.tif 000005
【図５】
0005538052.tif 000006
【図６】
0005538052.tif 000007
【図７】
0005538052.tif 000008
【図８】
0005538052.tif 000009
【図９】
0005538052.tif 000010